(57)【要約】【課題】１枚の画像を分割して伝送された複数の画像を受信する側で画像処理を行っても、境界部分の画質劣化を生じないシームレスの画像を得ることを目的とする。【解決手段】第１分割画像のブランキング期間に書き込める画像データ容量の範囲内で、ブランキング期間に隣接する第１分割画像の端画像を第１分割画像ブロックとしてコピーし、ブランキング期間に隣接する第２分割画像の端画像を第１分割画像ブロックに隣接させて第２分割画像ブロックとしてコピーするコピー手段１１と、第１、第２分割画像を圧縮し圧縮分割画像を得る圧縮手段１８と圧縮分割画像を伝送する伝送手段１２と、圧縮分割画像を複数の投映面に投映した際にブランキング期間にコピーされた第１、第２分割画像のそれぞれ劣化していない中央部の画像を取り出して第１、第２分割画像の劣化した部分に置き換える置換手段１５とを有するものである。【選択図】      図１
2006019805.tif 000002
【特許請求の範囲】
【請求項１】
１つの画像から一方向に順番に垂直分割された複数の分割画像を圧縮して伝送し、前記圧縮された複数の分割画像を前記複数の分割画像と同数の水平方向に配置された拡大投映面にそれぞれ投映して、全体として前記１つの画像を得る際、前記複数個の投映面の境界部をシームレスにする画像伝送表示システムにおいて、
前記拡大投映面上での前記分割画像の水平走査方向に隣接した同士の前記分割画像を順番に第１分割画像、第２分割画像とする組が組み合されて前記複数の分割画像が構成されるとするとき、
前記第１分割画像の一水平期間のブランキング期間に書き込める画像データ容量の範囲内で前記ブランキング期間内に、前記第１分割画像の端画像を第１分割画像ブロックとしてコピーすると共に前記第２分割画像の端画像を前記第１分割画像ブロックに隣接させて第２分割画像ブロックとしてコピーするコピー手段と、
前記第１分割画像の一水平期間のブランキング期間にコピーされた前記第１、第２分割画像ブロックと共に前記第１、第２分割画像を圧縮することにより、第１、第２圧縮分割画像及び第１、第２圧縮分割画像ブロックを得る圧縮手段と、
第１、第２圧縮分割画像及び第１、第２圧縮分割画像ブロックを伝送する伝送手段と、
前記第１、第２圧縮分割画像を前記複数の投映面に投映した際に、互いに隣接する前記第１、第２圧縮分割画像の境界部に不連続が生じている場合のみ、前記ブランキング期間にコピーされた前記第１、第２分割画像ブロックのそれぞれ劣化していない中央部の画像ブロックを取り出して前記第１、第２圧縮分割画像の劣化した端画像部分に置き換える置換手段と、
前記互いに隣接する前記第１、第２圧縮分割画像の境界部に不連続が生じている場合には、前記置換手段で端画像部分が前記第１、第２分割画像ブロックのそれぞれ劣化していない中央部の画像ブロックで置換された前記第１、第２圧縮分割画像を表示し、前記互いに隣接する前記第１、第２圧縮分割画像の境界部に不連続が生じない場合には、そのまま表示する表示手段と、
を有することを特徴とする画像伝送表示システム。
【発明の詳細な説明】
【技術分野】
【０００１】
本発明は、例えば、２００２年ワールドサッカーにおいて、競技する選手の背番号を把握するために、試験的に用いられたハイビジョン方式(以下ＨＤＴＶと称する)の３倍の画素数を持つ画像を、専用回線で特殊会場に伝送し表示していた画像表示システムの専用回線による画像伝送部分を、ＢＳ放送等を用いることにより、これを受信した多くの会場で合成表示してＨＤＴＶの整数倍の画像による高画質画像を表示する画像伝送表示システム等に関するものである。
【背景技術】
【０００２】
図１３は従来の画像伝送表示システムの概要ブロックを示す図であり、この従来の画像伝送表示システムを用いてＨＤＴＶの約３倍の画素数を有する画像信号を専用回線で伝送し、光学的に連続した１画面に合成表示して用いていた。
【０００３】
図１３に示す従来の画像伝送表示システムにおいては、図６（Ａ）の上部に示すように、水平方向にＨＤＴＶの３倍の画素数(５７６０)を持つ第１の画像を有する撮像素子を用いた撮像手段１０から得られる第１の画像の映像信号Ｓ０を分割手段２９に入力し、第１の画像をこの分割手段２９において３分割したＨＤＴＶの画素数（１９２０）からなる第２の画像（Ａ０，Ｂ０，Ｃ０）に分割し映像信号Ｓ５ａ，Ｓ５ｂ，Ｓ５ｃを得る。そして分割手段２９から得られる第２の画像による映像信号Ｓ５ａ，Ｓ５ｂ，Ｓ５ｃを既存の信号フォーマットとして例えばＡＲＩＢ規格ＢＴＡ  Ｓ-００４Ｂ(以下ＨＤ-ＳＤＩと称する)に変換し伝送路２に伝送信号Ｓ６ａ，Ｓ６ｂ，Ｓ６ｃとして送信手段１２から送出する。
【０００４】
そして、受信手段３０は３つに分割された第２の画像の伝送信号Ｓ６ａ，Ｓ６ｂ，Ｓ６ｃを伝送路２から受信して映像信号Ｓ７ａ，Ｓ７ｂ，Ｓ７ｃに戻し、表示手段１６に加える。表示手段１６では３つに分割された第２の画像を第１の画像と同じ配置になるように配置して図示していないスクリーン等の表示部に合成表示する。
【０００５】
上述した従来のシステムによれば、図６（Ａ）の上部に示すように撮像手段１０によって得られた第１の画像をこの第１の画像より小さな既存の規格からなる第２の画像（Ａ０，Ｂ０，Ｃ０）として伝送し、画像表示装置６においては伝送された第２の画像を第１の画像と同じ配置に合成表示することで、既存規格の画像信号より大きな第１の画像として表示することが出来る。また、特許文献１によれば、さらに画素数の多いＨＤＴＶの４倍に相当する画素数の画像伝送表示システムが記載されている。
【０００６】
このように、上述した従来の画像伝送表示システムにおいては、専用の特殊な伝送方法による画像伝送しか行われておらず、分割した画像の劣化もないため表示手段１６で輪郭強調処理等の画像処理を行う必要がなかったが、例えばＨＤＴＶの放送枠として各民放局が使用しているＢＳ３ｃｈを用いてＨＤＴＶの３倍の画像を伝送し表示しようとすると、伝送時に画像の劣化を生じたり、あるいは伝送時の圧縮によりさらに隣接画像の境界部分の画像処理が適正でなくなったりすると言う現象を生じていた。
【０００７】
このため、３つに分割された第２の画像を、そのまま画像処理して分割前の第１の画像と同じ配置で合成表示すると、境界部分の画質に劣化を生じていた。
【特許文献１】特開２００２−１３５６６２号公報
【発明の開示】
【発明が解決しようとする課題】
【０００８】
このように、上述した従来の画像伝送表示システムにおいては、ハイビジョン方式(以下ＨＤＴＶと称する)の３倍の画素数を持つ第１の画像を複数に分割した第２の画像を、複数の伝送路を設定して並列に略同時に送信し、次にこれを受信して表示しようとすると送信時の伝送や圧縮による劣化や表示する際における画像の輪郭強調のために複数に分割した第２の画像においてそれぞれの境界部分の連続性が無くなり第1の画像となるよう合成表示する際に画質劣化を生ずると言う問題点があった。
【０００９】
そこで本発明は、上述した問題点を解決して、複数に分割して伝送された画像を受信して合成表示する際に、境界部分の画質劣化を生じない画像伝送表示システムを提供することを目的とする。
【課題を解決するための手段】
【００１０】
本願発明は、１つの画像から一方向に順番に垂直分割された複数の分割画像を圧縮して伝送し、前記圧縮された複数の分割画像を前記複数の分割画像と同数の水平方向に配置された拡大投映面にそれぞれ投映して、全体として前記１つの画像を得る際、前記複数個の投映面の境界部をシームレスにする画像伝送表示システムにおいて、
前記拡大投映面上での前記分割画像の水平走査方向に隣接した同士の前記分割画像を順番に第１分割画像、第２分割画像とする組が組み合されて前記複数の分割画像が構成されるとするとき、前記第１分割画像の一水平期間のブランキング期間に書き込める画像データ容量の範囲内で前記ブランキング期間内に、前記第１分割画像の端画像を第１分割画像ブロックとしてコピーすると共に前記第２分割画像の端画像を前記第１分割画像ブロックに隣接させて第２分割画像ブロックとしてコピーするコピー手段と、前記第１分割画像の一水平期間のブランキング期間にコピーされた前記第１、第２分割画像ブロックと共に前記第１、第２分割画像を圧縮することにより、第１、第２圧縮分割画像及び第１、第２圧縮分割画像ブロックを得る圧縮手段と、第１、第２圧縮分割画像及び第１、第２圧縮分割画像ブロックを伝送する伝送手段と、前記第１、第２圧縮分割画像を前記複数の投映面に投映した際に、互いに隣接する前記第１、第２圧縮分割画像の境界部に不連続が生じている場合のみ、前記ブランキング期間にコピーされた前記第１、第２分割画像ブロックのそれぞれ劣化していない中央部の画像ブロックを取り出して前記第１、第２圧縮分割画像の劣化した端画像部分に置き換える置換手段と、前記互いに隣接する前記第１、第２圧縮分割画像の境界部に不連続が生じている場合には、前記置換手段で端画像部分が前記第１、第２分割画像ブロックのそれぞれ劣化していない中央部の画像ブロックで置換された前記第１、第２圧縮分割画像を表示し、前記互いに隣接する前記第１、第２圧縮分割画像の境界部に不連続が生じない場合には、そのまま表示する表示手段と、を有することを特徴とする画像伝送表示システムを提供するものである。
【発明の効果】
【００１１】
本発明によれば、１つの画像から一方向に順番に垂直分割された複数の分割画像を圧縮して伝送し、圧縮された複数の分割画像を複数の分割画像と同数の水平方向に配置された拡大投映面にそれぞれ投映して、全体として前記１つの画像を得る際、複数個の投映面の境界部をシームレスにすることができる。
【発明を実施するための最良の形態】
【００１２】
以下に本発明の各実施形態係る画像伝送システムについて、図１〜図１２を用いて説明する。
図１は本発明の実施形態におけるＨＤＴＶの３倍の画素数を有する画像の画像伝送システムの概要図を示す図である。
図２は画像発生装置１における画像処理状態を示す図であり、（Ａ）は上部が第１の画像を示す図であり下部が分割した第２の画像を示す図であり、（Ｂ）は第２の画像における境界画像の構成を示す図であり、（Ｃ）は伝送時における分割画像のそれぞれの配置を示す図である。
図３は画像表示装置３における画像処理状態を示す図であり、（Ａ）は受信する伝送画像のそれぞれの配置を示す図であり、（Ｂ）は画像処理時に境界画像が劣化する個所を示す図であり、（Ｃ）は境界画像を入れ替える位置を示す図であり、（Ｄ）は画像処理後の画像を示す図である。
図４はＨＤＴＶ信号のブランキング期間に画像処理を行う重畳画像のデータを挿入した場合を示す図であり、（Ａ）はＨＤＴＶの規格に基づくブランキング付近のデータ配列を示す図であり、（Ｂ）はブランキング期間の有効データブロックにＡ０画像の右端画像データとＢ０画像の左端画像データとを合成して挿入した図を示し、（Ｃ）は（Ｂ）を画像処理した場合のデータ劣化部分を示す図であり、（Ｄ）は画像処理後に劣化していない画像のデータをもとの画像位置に戻す状態を示す図である。
図５はＨＤＴＶの映像データブロックの領域内において、画像処理を行う場合を示す図であり、（Ａ）はＨＤＴＶの規格に基づくブランキング付近のデータ配列を示す図であり、（Ｂ）はＡ１画像の右端画像データを移動してＢ１画像の左端画像データをＡ１画像の右端に合成した挿入した状態を示す図であり、（Ｃ）は（Ｂ）を画像処理した場合のデータ劣化部分を示す図であり、（Ｄ）は画像処理後に劣化していない画像のみを用いる状態を示す図である。
図６は１枚の画像と分割した画像の配列を示す図であり、（Ａ）は図２に示すブランキング期間に画像処理をする画像データを挿入した場合の画素配列を示す図であり、（Ｂ）は図３に示す映像データブロック内に画像処理をする画像データを挿入した場合の画素配列を示す図である。
図７は水平、垂直方向にそれぞれ複数分割した場合の配列を示す図であり、図８は図７の４分割画像を４並列伝送する場合を示す図であり、図９は分割手段の構成を示す図であり、図１０は画像処理手段の構成を示す図であり、図１１は画像が重畳する部分の画像データを示す図であり、図１２は重畳量判定手段を示す図である。
【００１３】
まず、図１に示すように、本発明の実施形態に係る画像伝送システムは、１つの画像から一方向に順番に垂直分割された複数の分割画像を圧縮して伝送し、圧縮された複数の分割画像を複数の分割画像と同数の水平方向に配置された拡大投映面にそれぞれ投映して、全体として１つの画像を得る際、複数個の投映面の境界部をシームレスにする画像伝送表示システムにおいて、拡大投映面上での分割画像の水平走査方向を一方向とし、圧縮される前の一方向に隣接した同士の分割画像を順番に第１分割画像、第２分割画像とするとき、第１分割画像の一水平期間のブランキング期間に書き込める画像データ容量の範囲内でブランキング期間内に、ブランキング期間に隣接する第１分割画像の端画像を第１分割画像ブロックとしてコピーすると共にブランキング期間に隣接する第２分割画像の端画像を第１分割画像ブロックに隣接させて第２分割画像ブロックとしてコピーするコピー手段（分割手段１１）と、第１分割画像の一水平期間のブランキング期間にコピーされた第１、第２分割画像ブロックと共に第１、第２分割画像を圧縮することにより、分割画像の圧縮分割画像を得る圧縮手段１８と、圧縮分割画像を伝送する伝送手段（送信手段１２）と、圧縮分割画像を複数の投映面に投映した際に、互いに隣接する第１、第２分割画像の境界部に不連続が生じている場合には、ブランキング期間にコピーされた第１、第２分割画像のそれぞれ劣化していない中央部の画像を取り出して第１、第２分割画像の劣化した部分に置き換える置換手段（画像処理手段１５）と、を有するものである。
【００１４】
具体的には図１に示す画像発生装置位置１では、図２（Ａ）に示す第１の画像ＵＨ０を第２の画像Ａ０，Ｂ０，Ｃ０に分割して、図２（Ｂ）に示すように第２の画像におけるＡ０の右端の境界画像Ａと画像Ｂ０の左端における境界画像Ｂａをそれぞれの境界部を隣り合わせにした境界部の画像として境界画像ＡＢａを、同様にして第２の画像におけるＢ０の左端における境界画像Ｂｃと画像Ｃ０の右端における境界画像Ｃをそれぞれの境界部を隣り合わせにした境界部の画像として境界部画像ＢｃＣを作成する。
【００１５】
そして、分割した第２の画像Ａ０，Ｂ０，Ｃ０はそれぞれＨＤＴＶ信号のフォーマットの映像データブロックに画像信号として挿入されて略同時に伝送路２へ並列伝送する。この時図２（Ｃ）に示すようにＡ０のＨＤＴＶ信号のブランキング部分には境界部画像ＡＢａを、Ｃ０のＨＤＴＶ信号のブランキング部分には境界部画像ＢｃＣを挿入する。
【００１６】
次に伝送路２を経由して画像表示装置３に入力された図３（Ａ）に示すＨＤＴＶ信号のフォーマットによる第２の画像Ａ０，Ｂ０，Ｃ０を、送信手段１２によるデータ圧縮、伝送路２による信号劣化、受信手段１４によるデータ伸張、表示手段１６への画質向上処理等に対応したそれぞれの画像処理をして合成表示すると図３（Ｂ）に示すように境界部分に画像のシームレス化を妨げる連続性のない画像が生じる（境界画像劣化部ＡＢａ、境界画像劣化部ＢｃＣ）。
【００１７】
この時同様の画像処理を行ったそれぞれの境界部分の画像における境界部画像ＡＢａと境界部画像ＢｃＣの劣化のない部分を抽出して境界画像劣化部ＡＢａ、境界画像劣化部ＢｃＣの劣化を生じている部分とを図３（Ｃ）に示すように入れ替える。このようにすれば図３（Ｄ）に示すように境界部分の連続性のある画像が得られ第１の画像と同様のシームレス画像を実現出来る。
【００１８】
すなわち、１つの画像を複数の画像に分割して伝送する際に境界部分の画像を繋ぎ合わせてブランキング部分に付加して伝送することにより、これを受信した表示装置側で境界部分の画像処理により複数の画像の合成表示時に連続性が無くなっても、ブランキング部分に付加された境界部分の繋ぎ合わされた画像を用いて入れ替えることにより、境界部分の画像に連続性の有るシームレスの画像が得られる。
【００１９】
本発明の実施形態に係る画像伝送システムに用いる境界部分の画像の設定位置としては、図４に示すＨＤＴＶ信号のブランキング部分に挿入するものと、図５に示すＨＤＴＶ信号の映像データブロック部分に挿入するものとがある。
境界部分の画像の設定位置は重畳量設定手段１３により、最初は重畳する画像を図６（Ｂ）に示すようにＡ０，Ｂ０，Ｃ０となるように選択しておき、分割された画像が合成表示される時に境界部を確認してシームレスにならなければ図６（Ｂ）に示すようにＡ１，Ｂ１，Ｃ１を選択する。
【００２０】
図４に示す画像の位置は、分割された画像の境界部の劣化が少ない画像の伝送時に用いるもので、分割前の第１の画像と分割後に合成表示した第２の画像の画素構成は同じである。
この画像の画素数を削減しないようにするために、ＡＲＩＢ規格ＢＴＡ  Ｓ-００５Ｂに基づく補助データを利用して、図４（Ａ）に示すようにデジタルラインブランキング期間の中の有効データブロックに位置する補助データ部分に境界部分の画像を背中合わせにして付加する。
ＨＤＴＶ映像信号のデータ配列は図４（Ａ）に示すように、映像データブロックは１９２８Ｔ、デジタルラインブランキングは２８０Ｔ、有効データブロックは２７２Ｔと規定されている。（Ｔは１クロック：１画素に相当）
【００２１】
まず、図４において、ＨＤＴＶ信号のブランキング部分に挿入する画像データは図２（Ａ）に示すＡ０とＢ０を用いるものとする。
そして、図４（Ｂ）に示すように、画像Ａ０の右端Ｌａの位置にある画像Ｙ０をＨＤＴＶ信号のブランキング部分の有効データブロック内Ｙ１へ挿入する。次に画像Ｂ０の左端Ｌｂの位置にある画像Ｚ０を図２（Ｂ）に示すようにＨＤＴＶ信号のブランキング部分の有効データブロック内Ｚ１に挿入する。Ｙ１とＺ１は境界部分を背中合わせにして連続性を持たせる。有効データブロックは２７２Ｔの範囲に定められているからＬａ＋Ｌｂを２７２Ｔ以内に設定する。
すなわち境界部分の画素数としては片側１３６画素が最大値となる。そしてこの略半分が伝送時に劣化しない最大画素数６８となる。
【００２２】
そして、図４（Ｂ）に示す画像Ａ０と画像Ｂ０の画像信号が画像発生装置１から伝送路２経由で画像表示装置３に伝送され、画像表示装置３の画像処理手段１５で所定の画像処理をされると図４（Ｃ）のデータ劣化部分に示すように境界部のない画像データは劣化するからこれを削除してデータ劣化しなかった画像データのみを図４（Ｄ）に示すようにブランキング部分から映像データブロック内のデータ劣化した画像データと入れ替える。
【００２３】
このようにして画像処理手段１５で処理をした画像Ａ０と画像Ｂ０の画像データを、表示手段１６で表示すれば画像Ａ０と画像Ｂ０間で境界部分の劣化のない画像が得られる。同様にして画像Ｂ０と画像Ｃ０の画像データの処理を画像処理手段１５で行えば、画像Ｂ０と画像Ｃ０間で境界部分の劣化のない画像が得られるから、画像Ａ０，画像Ｂ０，画像Ｃ０が境界部分の劣化のないシームレス画像として表示出来る。
【００２４】
次に、図５に示す画像の位置は、画像の伝送時に分割された画像の境界部の劣化が多い場合に用いるものである。有効データブロックは２７２Ｔの範囲に定められているからＬａ＋Ｌｂを２７２Ｔ以内に設定するが、例えば画像の伝送量を減らすためや録画装置に記憶するために画像に圧縮をかけると境界部の劣化が多くなり２７２Ｔ以上となるとブランキング部分の有効データブロックには挿入出来なくなる。
従って、境界部分の画素数としては片側１３６画素が最大値であるからこの略半分が伝送時に劣化しない最大画素数６８なので６８画素以上の画像圧縮画行われる場合には、ブランキング部分の有効データブロック範囲では画像データ数が不足するので、より広い画像データ範囲を持つ映像データブロック内に境界部分の画像データを挿入する。従って、分割後の境界部分両端画像の一部分は削除されるが、境界部分の劣化のないシームレス画像は実現できる。
【００２５】
図５（Ｂ）では図６（Ｂ）の下部に示すように画像Ａ１と画像Ｂ１を重畳させる。すなわち画像Ｂ１の左端のＬｘ範囲における画像Ｆ１を、画像Ａ１の右端におけるＬｘ範囲の画像Ｆ０とする。
そして、図５（Ｂ）に示すＨＤＴＶ信号が画像処理手段１５まで伝送され所定の画像処理をされると図５（Ｃ）のデータ劣化部分に示すように境界部のない画像データは劣化するから、図５（Ｄ）に示すようにデータ劣化した画像データを映像データブロックから削除する。
【００２６】
このようにして、画像Ａ１と画像Ｂ１の境界部分表示を行えば、図５（Ｄ）に示す画像Ａ１の１／２Ｆ０と画像Ｂ１の１／２Ｆ１の境界部分は一致する。そして、図６（Ｂ）に示す画像Ｂ１と画像Ｃ１も同様にＬｙの範囲で重畳させ、同様の処理を行えば、画像Ａ１，画像Ｂ１，画像Ｃ１の境界部分劣化のないシームレスの境界部分画像が得られる。
ただし、この場合はブランキングの有効データに境界部分の画像データを挿入する場合とは異なり、映像データブロック内に境界部分の画像データを挿入するため、挿入した画像範囲の一部の画像は境界部となるから劣化し削除される。
【００２７】
以上のようにして境界部の画質劣化が少ない場合は、ブランキング部分に境界部分の画像を挿入して第１の画像と等しい画素数の第２の画像によるシームレスの境界部分画像を得る事が出来る。
そして境界部の画質劣化が多い場合は映像データブロック内に境界部分の画像データを挿入して第１の画像とより少ない画素数の第２の画像であるがシームレスの画像を得る事が出来る。
【００２８】
一般に境界部分の連続性が無くなるのは録画再生による画像信号の圧縮伸張の影響がもっとも大きく、ついで多重化を行う場合の伝送時の圧縮による影響があり、さらには表示装置の輪郭強調によるもの、伝送ケーブルの長距離使用による高周波数帯域の信号レベル低下の補償によるもの等があげられる。
このためこれらの要因が組み合わさって境界部分の画質劣化が多くなるから、境界部の画質劣化を抽出してブランキング部分か映像データブロックのいずれに境界部の画像信号を挿入するかを画像表示装置３で判断して画像入力装置１に送る。
【００２９】
次に本発明の実施形態につきより詳細に説明する。この図１に示す画像発生装置１は、撮像手段１０、分割手段１１、送信手段１２、重畳量設定手段１３により構成し、伝送路２はＨＤＴＶの３ｃｈの放送電波等により構成し、画像表示装置３は受信手段１４、画像処理手段１５、表示手段１６により構成する。記憶装置４は送信手段１２と受信手段１４との間に設置する。
そして、画像発生装置１は撮像手段１０により図示しない被写体光像を撮像し図６(Ａ)の上方に示す第１の画像ＵＨ０（横５７６０画素ｘ縦１０８０画素）を画像信号Ｓ０に変換する。
【００３０】
この画像信号Ｓ０を分割手段１１において図６(Ａ)の下方に示す第２の画像Ａ０，Ｂ０，Ｃ０(横１９２０ｘ３組)か、図６（Ｂ）の下方に示すＡ１，Ｂ１，Ｃ１（横１９２０−Ｌｘ、１９２０，１９２０−Ｌｙ）を重畳量設定信号Ｗ２により選択し、図９に示す分割手段１１の重畳部分設定部２８により重畳量設定信号Ｗ２を波形整形して分割読み出しアドレス発生部２７に送る。例えば重畳量設定信号Ｗ２＝０の時に、画像Ａ０，Ｂ０，Ｃ０を、重畳量設定信号Ｗ２＝１の時に画像Ａ１，Ｂ１，Ｃ１を選択してそれぞれの分割アドレスＤａｄｄａ，Ｄａｄｄｂ，Ｄａｄｄｃを設定して１画面記憶手段２６に記憶されている第１の画像による画像信号Ｓ０を第２の画像の画像信号Ｓ１ａ，Ｓ１ｂ，Ｓ１ｃとして分割して出力する。ブランキング或いは映像データブロックにコピーする（挿入する）境界部分の画像信号のアドレスＣｏｐｙａｄは分割読み出しアドレス発生部２７で重畳量設定信号により設定され画像Ａ０，Ｂ０，Ｃ０の境界部分の画像信号をブランキング或いは映像データブロックにコピーする（挿入する）。
【００３１】
重畳量設定手段１３ではＨＤＴＶ信号のブランキング部分に画像を重畳するか、映像データブロックに重畳するかを選択して重畳量設定信号Ｗ２を分割手段１１に送る。重畳量設定手段１３では、画像表示装置３で受信して表示再生した画像が正常か否かを判定した判定信号Ｗ１を入手することにより、重畳量設定信号Ｗ２を修正する。そして、重畳量の設定情報Ｃｔｌ１を送信手段手段１２に送る。
【００３２】
次に送信手段１２に分割した画像信号Ｓ１ａ，Ｓ１ｂ，Ｓ１ｃを送り、送信手段１２では入力した画像信号Ｓ１ａ，Ｓ１ｂ，Ｓ１ｃをＨＤ-ＳＤＩのフォーマットに変換した後重畳量の設定情報Ｃｔｌ１も付加して伝送信号Ｓ２ａ，Ｓ２ｂ，Ｓ２ｃを生成して伝送路２に出力し、画像表示装置３へ送る。或いは記憶装置４へ送り、録画した後再び伝送路２へ送る。送信手段１２で画像信号を伝送信号に変換する際に伝送路２の伝送量に応じて圧縮を圧縮手段１８により掛けて伝送量に応じた伝送信号を生成する。
【００３３】
画像表示装置３は、受信手段１４、画像処理手段１５、表示手段１６、重畳量判定手段１７より構成し、まず、受信手段１４で伝送路２を介して伝送信号Ｓ２ａ，Ｓ２ｂ，Ｓ２ｃを受信した後、画像信号Ｓ３ａ，Ｓ３ｂ，Ｓ３ｃに復調しこれを画像処理手段１５に出力する。
伝送信号Ｓ２ａ，Ｓ２ｂ，Ｓ２ｃを受信して画像信号Ｓ３ａ，Ｓ３ｂ，Ｓ３ｃに復調する際に、有効データブロックに挿入してある重畳量の設定情報Ｃｔｌ１を取り出して設定情報Ｃｔｌ２として重畳量判定手段１７に送る。
【００３４】
重畳量判定手段１７では設定情報Ｃｔｌ２から、制御データ抽出回路２４により重畳位置Ｐ１と重畳範囲Ｖａとを抽出し、画像処理手段１５用に再構成した設定情報Ｃｔｌ３を画像処理手段１５に送る。
【００３５】
画像処理手段１５では設定情報Ｃｔｌ３により画像信号Ｓ３ａ，Ｓ３ｂ，Ｓ３ｃを制御して、それぞれ画質向上のための画像処理（例えば輪郭強調処理）を行う。
設定情報Ｃｔｌ３が重畳量設定信号Ｗ２＝０を示す時、図４（Ｄ）に示すように、例えば画像Ａ０では有効データブロックに挿入されて画像処理された画像１／２Ｙ１を画像Ａ０の右端の画像と入れ替える。そして各境界部分を削除し、かつＡ０、Ｂ０の画像が重ならないよう表示する領域を設定する。画像Ｂ０では有効データブロックに挿入されて画像処理された画像１／２Ｚ１を画像Ｂ０の左端の画像と入れ替える。図示していないが画像Ｃ０についても同様の処理を行う。
【００３６】
また、設定情報Ｃｔｌ３が重畳量設定信号Ｗ２＝１を示す時、図３（Ｄ）に示すように、例えば画像Ａ１では映像データブロックに挿入されて画像処理された画像Ｆ０とＦ１の境界部分を１／２ずつ削除する。図示していないが画像Ｃ１についても同様の処理を行う。
【００３７】
この画像処理手段１５では、図１０に示すように記憶装置２０、読み出しアドレス発生回路２１、画像処理回路２２、画像重畳部分比較回路２３から構成され、画像処理を行う際に重畳した画像の劣化状態を検出して設定情報Ｃｔｌ３による画像の重畳量が適正であるかを画像重畳部分比較回路２３で判断し、判断信号Ｗ０を出力して重畳量判定手段１７に送る。これは、伝送路２の経路が替わったり撮像手段１０による画像が記憶装置４に替わったりした時の画像の劣化状態を把握するためである。
【００３８】
画像の劣化状態は、データ劣化部分と入れ替える挿入データ部分の端部で比較して把握する。画像の境界部から離れている部分はデータ劣化部分であっても挿入データと同じなので、例えば、図１１に図４の一部を取り出して示すように、図４（Ｄ）において画像Ａ０のデータ劣化部分に１／２Ｙ１の画像データが挿入されるが、図４（Ｃ）のＡ０における映像ブロック右端のデータ劣化部分の画像データをＤ０，Ｄ１，Ｄ２，Ｄ３，Ｄ４，．．．，Ｄｎとした左端の一部と、挿入する１／２Ｙ１の画像データをＥ０，Ｅ１，Ｅ２，Ｅ３，Ｅ４，．．．，Ｅｎとした左端の一部とを図９の画像重畳部分比較回路２３で比較する。（図中のＡｘ，Ｂｘ，Ｃｘは図４もしくは図５の画像データを示す。）
この場合、比較データＴ０＝Ｄ０−Ｅ０，Ｔ１＝Ｄ１−Ｅ１，Ｔ２＝Ｄ２−Ｅ２，Ｔ３＝Ｄ３−Ｅ３を算出し、この比較データの合計Ｔｏｔａｌ＝Ｔ０＋Ｔ１＋Ｔ２＋Ｔ３が略ゼロであれば画像の重畳量は適していると判断し判断信号Ｗ０＝０を出力し、合計Ｔｏｔａｌが略ゼロでなければ画像の重畳量は適していないと判断して判断信号Ｗ０＝１とする。そしてこの判断信号Ｗ０を重畳量判定手段１７に送る。
【００３９】
重畳位置設定手段１７では、図１２に示すように制御データ抽出回路２４、画像処理結果確認回路２５から構成され、判断信号Ｗ０と重畳位置Ｐ１、重畳範囲Ｖ１とから、画像の重畳範囲が適正か否かを確認し、確認結果の判定信号Ｗ０を画像発生装置１の重畳量設定手段１３に送る。重畳範囲選択手段１３では判定信号Ｗ０により、画像の重畳量設定を修正する。
【００４０】
以上のように、本発明の実施形態によれば、１つの画像を複数の画像に分割する際に分割画像の端部をそれぞれ重畳した画像信号を作成して伝送し、この伝送された画像信号を表示装置で画像処理を行い、合成表示することにより、それぞれの画像の境界部分に画質劣化を生じない良好な画像を表示する画像伝送表示システムを得る事が出来る。
【００４１】
また、本実施形態として、重畳する画像信号には各領域の片側の端部を用いたが、これに限らず、両端部の画像信号であってもよい。また、右端部と左端部両方の画像信号をブランキング部分の有効データブロックに挿入してもよい。
さらに、本実施形態では、画像発生装置１として撮像手段１０を設けた所謂「カメラ」を説明したが、画像発生装置１は、光学的に連続した第１の画像領域を、Ｎ個の第２の画像領域に分割し、Ｎ個の映像信号として出力する画像発生装置１であればよく、スキャナー、ＶＴＲ、ＤＶＤ等の画像記憶装置等でも良い。
【００４２】
また、図７に示すように、１つの画像を水平、垂直方向においても複数の画像に分割する際に分割画像の端部をそれぞれ重畳した画像信号を作成すれば、表示装置側で輪郭強調処理のような画像処理を行っても、境界部分に画質劣化を生じないシームレスの表示画像が得られる画像伝送表示システムを構成出来る。図７上部は水平、垂直方向に各ＨＤＴＶの２倍画素を有する画像であり、図７の下方は４分割してＨＤＴＶ信号とする構成を示す。
【００４３】
１つの画像を水平、垂直方向に分割して伝送する場合は、図８に示すように水平境界部分画像ａｂ，ｃｄは水平ブランキング（Ｈブランキング）に、垂直境界部分画像ａｃ，ｂｄは垂直ブランキング（Ｖ部ランキング）に挿入して伝送する。図８の上部の画像における中央に示す各境界部分の背中合わせ部分の境界部分画像ａｂｃｄは図８の下部の画像に示すように垂直ブランキング部分に挿入する。
【００４４】
以上述べてきたように、本発明の実施形態を用い、ＨＤＴＶの放送枠として各民放局が使用しているＢＳ３ｃｈ分でＨＤＴＶの３倍の画像を伝送すれば、多くの場所でＨＤＴＶの画素数以上の画像を良好に合成表示することが出来る。また、２局分を用いてＨＤＴＶの６倍に相当する画素数の画像とすることも容易に出来る。
【図面の簡単な説明】
【００４５】
【図１】本発明の実施形態におけるＨＤＴＶの３倍の画素数を有する画像の画像伝送システムの概要図を示す図である。
【図２】画像発生装置１における画像処理状態を示す図であり、（Ａ）は上部が第１の画像を示す図であり下部が分割した第２の画像を示す図であり、（Ｂ）は第２の画像における境界画像の構成を示す図であり、（Ｃ）は伝送時における分割画像のそれぞれの配置を示す図である。
【図３】画像表示装置３における画像処理状態を示す図であり、（Ａ）は受信する伝送画像のそれぞれの配置を示す図であり、（Ｂ）は画像処理時に境界画像が劣化する個所を示す図であり、（Ｃ）は境界画像を入れ替える位置を示す図であり、（Ｄ）は画像処理後の画像を示す図である。
【図４】ＨＤＴＶ信号のブランキング期間に画像処理を行う重畳画像のデータを挿入した場合を示す図であり、（Ａ）はＨＤＴＶの規格に基づくブランキング付近のデータ配列を示す図であり、（Ｂ）はブランキング期間の有効データブロックにＡ０画像の右端画像データとＢ０画像の左端画像データとを合成して挿入した図を示し、（Ｃ）は（Ｂ）を画像処理した場合のデータ劣化部分を示す図であり、（Ｄ）は画像処理後に劣化していない画像のデータをもとの画像位置に戻す状態を示す図である。
【図５】ＨＤＴＶの映像データブロックの領域内において、画像処理を行う場合を示す図であり、（Ａ）はＨＤＴＶの規格に基づくブランキング付近のデータ配列を示す図であり、（Ｂ）はＡ１画像の右端画像データを移動してＢ１画像の左端画像データをＡ１画像の右端に合成した挿入した状態を示す図であり、（Ｃ）は（Ｂ）を画像処理した場合のデータ劣化部分を示す図であり、（Ｄ）は画像処理後に劣化していない画像のみを用いる状態を示す図である。
【図６】１枚の画像と分割した画像の配列を示す図であり、（Ａ）は図２に示すブランキング期間に画像処理をする画像データを挿入した場合の画素配列を示す図であり、（Ｂ）は図３に示す映像データブロック内に画像処理をする画像データを挿入した場合の画素配列を示す図である。
【図７】水平、垂直方向にそれぞれ複数分割した場合の配列を示す図である。
【図８】図７の４分割画像を４並列伝送する場合を示す図である。
【図９】分割手段の構成を示す図である。
【図１０】画像処理手段の構成を示す図である。
【図１１】画像が重畳する部分の画像データを示す図である。
【図１２】重畳量判定手段を示す図である。
【図１３】従来の画像伝送システムの概要図を示す図である
【符号の説明】
【００４６】
１・・・画像発生装置、２・・・伝送路、３・・・画像表示装置、４，・・・記憶装置、５・・・画像発生装置、６・・・画像表示装置、１０・・・撮像装置、１１・・・分割手段、１２・・・送信手段、１３・・・重畳量設定手段、１４・・・受信手段、１５・・・画像処理手段、１６・・・表示手段、１７・・・重畳量判定手段、１８・・・圧縮手段２０・・・記憶装置、２１・・・読み出しアドレス発生回路、２２・・・画像処理回路、２３・・・画像重畳部分比較回路、２４・・・制御データ抽出回路、２５・・・画像処理結果確認回路、２６・・・１画面記憶手段、２７・・・分割読み出しアドレス発生部、２８・・・重畳部分設定部、２９・・・分割手段、３０・・・受信手段
【図１】
2006019805.tif 000003
【図２】
2006019805.tif 000004
【図３】
2006019805.tif 000005
【図４】
2006019805.tif 000006
【図５】
2006019805.tif 000007
【図６】
2006019805.tif 000008
【図７】
2006019805.tif 000009
【図８】
2006019805.tif 000010
【図９】
2006019805.tif 000011
【図１０】
2006019805.tif 000012
【図１１】
2006019805.tif 000013
【図１２】
2006019805.tif 000014
【図１３】
2006019805.tif 000015